(57)【要約】【課題】被介護者の圧迫感を軽減し、かつ被介護者に不安感を与えることがないようにした介護用吊り装置を提供する。【解決手段】スリングシート４は、被介護者３の身体を保持するためのシート部４１と、シート部４１の前部に設けられる前側吊り部４２と、シート部の後部に設けられる後側吊り部４３、４４とを有する。ハンガー２は、左右方向の中央部が介護用リフト１に吊支される吊支部２１と、吊支部２１における左右両端の前側に設けられ、スリングシート４の前側吊り部４２が掛けられる前後方向を向く左右１対の第１腕杆２２と、吊支部２１における左右両端の後側に設けられ、スリングシート４の後部吊り部４３、４４が掛けられる左右方向を向く左右１対の第２腕杆２３とを有する。  【選択図】  図１
2010011892.tif 000002
【特許請求の範囲】
【請求項１】
介護用リフトに吊支されるハンガーと、被介護者を載せた状態で前記ハンガーに吊下げ可能な布製のスリングシートとを備えた介護用吊り装置において、
前記スリングシートは、被介護者の身体を保持するためのシート部と、前記シート部の前部に設けられる前側吊り部と、前記シート部の後部に設けられる後側吊り部とを有し、
前記ハンガーは、左右方向の中央部が前記介護用リフトに吊支される吊支部と、前記吊支部における左右両端の前側に設けられ、前記スリングシートの前側吊り部が掛けられる前後方向を向く左右１対の第１腕杆と、前記吊支部における左右両端の後側に設けられ、前記スリングシートの後部吊り部が掛けられる左右方向を向く左右１対の第２腕杆とを有することを特徴とする介護用吊り装置。
【請求項２】
前記第１腕杆を、前記吊支部の左右両端部に前後方向へ位置調節可能に設けたことを特徴とする請求項１記載の介護用吊り装置。
【請求項３】
前記第１腕杆の前端部に、前記スリングシートにおける前側吊り部の前方への移動を阻止可能な拡径部を設けたことを特徴とする請求項１または２記載の介護用吊り装置。
【請求項４】
前記スリングシートはさらに、左右の前記後側吊り部の間にあって、左右の前記第２腕杆に掛けられる中央の後側吊り部を有すること特徴とする請求項１〜３のいずれかに記載の介護用吊り装置。
【発明の詳細な説明】
【技術分野】
【０００１】
本発明は、自力歩行が困難な被介護者を移動させるときに用いられる介護用吊り装置に関する。
【背景技術】
【０００２】
介護用スリングシートは、自力歩行が困難な被介護者をベッド、車椅子、便座、風呂等の相互間を移動させるときに使用されるもので、被介護者を保持するためのシート部と、シート部の前、後部に設けられた左右の前、後部吊下げベルトとを有する。被介護者を移動させる場合には、シート部を被介護者の身体に装着すると共に、前、後部吊下げベルトの各先端部を介護用リフトに吊支されたハンガーの各フックにそれぞれ掛けて、スリングシートと共に被介護者を吊り上げるようになっている（例えば、特許文献１、２参照）。
【０００３】
【特許文献１】特開２００１−３１４４５８号公報
【特許文献２】特開２００３ー０３８５８４号公報
【発明の開示】
【発明が解決しようとする課題】
【０００４】
上述のようなスリングシート及びハンガーを備えた介護用吊り装置においては、ハンガーに設けた前後のフックが互いに接近した位置に設けられている。そのため、被介護者を載せた状態でスリングシートを、介護用リフトにより吊り上げると、スリングシートは、全体的に被介護者を包み込むような形態となる。その結果、被介護者は、スリングシート内で前屈み姿勢となり、特にお腹が圧迫されて窮屈な姿勢を強いられる。また、被介護者を仰け反るような姿勢で吊り上げる場合には、スリングシートが被介護者と共に後方へ傾いてしまい、被介護者に不安感を与える虞がある。
【０００５】
本発明は、上記のような課題に鑑み、スリングシートに載っている被介護者の圧迫感を軽減し、かつ被介護者に不安感を与えることがないようにした介護用吊り装置を提供することを目的としている。
【課題を解決するための手段】
【０００６】
上記目的を達成するため、請求項１に記載の発明は、介護用リフトに吊支されるハンガーと、被介護者を載せた状態で前記ハンガーに吊下げ可能な布製のスリングシートとを備えた介護用吊り装置において、前記スリングシートは、被介護者の身体を保持するためのシート部と、前記シート部の前部に設けられる前側吊り部と、前記シート部の後部に設けられる後側吊り部とを有し、前記ハンガーは、左右方向の中央部が前記介護用リフトに吊支される吊支部と、前記吊支部における左右両端の前側に設けられ、前記スリングシートの前側吊り部が掛けられる前後方向を向く左右１対の第１腕杆と、前記吊支部における左右両端の後側に設けられ、前記スリングシートの後部吊り部が掛けられる左右方向を向く左右１対の第２腕杆とを有する。この構成により、スリングシートは、前、後部が互いに前後方向へ離間した第１腕杆及び第２腕杆に掛けられて吊り上げられる。この結果、被介護者を、前屈みになることなく楽な姿勢で吊り上げることができる。また、スリングシートにおける後側吊り部が、左右方向を向く第２腕杆に掛けられるため、スリングシートに載った被介護者が後方へ仰け反るような体勢をとっても、後側吊り部が後方へ滑る等して、スリングシートが後傾するようなことが少なくなる。この結果、被介護者は、安心してスリングシートに載ることができる。
【０００７】
また、請求項２に記載の発明は、請求項１に記載の介護用吊り装置において、前記第１腕杆を、前記吊支部の左右両端部に前後方向へ位置調節可能に設ける。この構成により、被介護者の体躯に応じて、スリングシートの前側吊り部の位置を前後に調節することができるため、被介護者を安定した状態でスリングシートに載せることができる。
【０００８】
また、請求項３に記載の発明は、請求項１または２に記載の介護用吊り装置において、前記第１腕杆の前端部に、前記スリングシートにおける前側吊り部の前方への移動を阻止可能な拡径部を設ける。この構成により、スリングシートの前側吊り部の位置ズレを防止して、被介護者を安定した状態でスリングシートに載せることができる。
【０００９】
また、請求項４に記載の発明は、請求項１〜３のいずれかに記載の介護用吊り装置において、前記スリングシートはさらに、左右の前記後側吊り部の間にあって、左右の前記第２腕杆に掛けられる中央の後側吊り部を有する。この構成により、スリングシートの後部をより安定した状態で保持することができる。
【発明の効果】
【００１０】
本発明によると、スリングシートを前後に離間した左右の第１腕杆及び第２腕杆に掛けて吊り上げるため、被介護者を楽な姿勢で吊り上げることができる。また、スリングシートの後側吊り部が掛けられる左右の第２腕杆が左右方向を向いているため、後側吊り部が前後方向へ位置ズレを起こすことはない。よって、被介護者は安心してスリングシートに載ることができる。
【発明を実施するための最良の形態】
【００１１】
以下、本発明に係わる一実施形態を、図面に基づいて説明する。図１は、介護用吊り装置の斜視図、図２は、同じく側面図、図３は、同じく平面図、図４は、スリングシートの展開図である。
【００１２】
本発明に係わる介護用吊り装置は、介護用リフト１に吊支されるハンガー２と、被介護者３を載せた状態でハンガー２に吊り下げられる布製のスリングシート４とを備える。
【００１３】
ハンガー２は、左右方向の中央部が介護用リフト１に吊支される正面視ほぼ弓状の金属製の吊支部２１と、吊支部２１の左右両端部に支持される前後方向を向く左右１対の第１腕杆２２、２２と、左右の第１腕杆２２、２２の後部に設けられる左右方向を向く左右１対の第２腕杆２３、２３とを有する。なお、ハンガー２は、吊支部２１の中央部分に設けられる連結シャフト２１２を交換することによって、あらゆるタイプの介護用リフター１に吊支可能である。
【００１４】
ハンガー２の第１腕杆２２は、左右方向へ貫通する調節孔２２４を前後方向に沿って複数並設すると共に、前後方向のほぼ中央部が吊支部２１の左右両端部に設けられた前後方向へ貫通する貫通孔に挿入されて前後方向へ位置調節可能に固定される。第１腕杆２２の前後方向への位置調節は、吊支部２１の下部に左右方向へ貫通するように設けられる調節ボルト６を所望の調節孔２２４に抜き差しすることによって行われる。
【００１５】
左右の第１腕杆２２における吊支部２１よりも前側の部分には、スリングシート４の後述の前側吊り部４２が吊り下げられる。左右の第１腕杆２２の前端部には、拡径部２２３が設けられる。拡径部２２３は、第１腕杆２２に掛けられたスリングシート４の左右の前側吊り部４２が第１腕杆２２の前端から外れないようにするものである。さらに、第１腕杆２２のほぼ前半分の外周面には、前側吊り部４２が前後方向へ妄りに移動しないように滑り止め手段が設けられる。本実施形態における滑り止め手段は、第１腕部２２の外周に沿って設けられる複数の溝部２２１によって形成される。なお、滑り止め手段は、溝部２２１に特定されるものではなく、滑り止め効果を有するテープ、布等を貼着することで構成しても良い。
【００１６】
左右の第２腕杆２３は、左右方向のほぼ中央部が第１腕杆２２の後端部（吊支部２１よりも後側の位置）に設けられた連結部２２２に挿入されて左右方向へ位置調節可能に固定される。第２腕杆２３の左右方向への位置調節は、連結部２２２に螺合した調節ボルト（図示略）を緩めたり締め付けたりすることによって行われる。
【００１７】
左右の第２腕杆２３における連結部２２２よりも外側部分には、スリングシート４の後述の左右の後側吊り部４４がそれぞれ吊り下げられ、また、同じく内側部分には、スリングシート４の後述の中央の後側吊り部４５が吊り下げられる。左右の第２腕杆２３の外端部には、拡径部２３１が設けられる。拡径部２３１は、第２腕杆２３に掛けられたスリングシート４の左右の後側吊り部４４が第２腕杆２３から外れないようにするものである。
【００１８】
なお、本発明におけるハンガー２は、前記構成に特定されるものではない。例えば、図５に示すように、ハンガー２における左右の第２腕杆２４、２４を、左右方向を向く角パイプにより形成すると共に、左右の第２腕杆２４、２４における左右方向のそれぞれの中央部を、左右の第１腕杆２２、２２の後端部に溶接によりそれぞれ固着するようにしても良い。また、左右の第２腕杆２４、２４の外面に、左右の第２腕杆２４、２４に吊り下げられるスリングシート４の中央後側吊り部４３及び左右の後側吊り部４４がそれぞれ左右方向へ滑らないようにするための複数の滑り止め溝部２４１を設けても良い。さらには、左右の第２腕杆２４、２４を、左右の第１腕杆２２、２２の後端部に溶接により固着することに代えて、左右の第２腕杆２４、２４を、左右の第１腕杆２２、２２の後端部にボルト締結により固定しても良い。さらには、左右の第２腕杆２４、２４（または２３、２３）を、左右の第１腕杆２２、２２の後端部に一体形成しても良い。
【００１９】
スリングシート４は、被介護者３の大腿部から頭部まで保持する長さの布製のシート部４１と、シート部４１の左右両側に着脱可能に接続され、ハンガー２の第１腕杆２２の前部に吊り下げられる左右１対の前側吊り部４２、４２と、シート部４１の後端部に設けられ、ハンガー２の第２腕杆２３の外側部分に吊り下げられる左右の後側吊り部４４、４４及び左右の後側吊り部４４、４４間にあって、左右の第２腕杆２３の内側部分に吊り下げられる中央の後側吊り部４３とを有する。
【００２０】
シート部４１は、図４に示すように、展開形状がほぼ矩形に形成され、必要に応じて前側吊り部４２、左右の後側吊り部４４及び中央の後側吊り部４３を取り外すことによって、ベッド、その他のシーツとしても利用可能である。また、シート部４１の前端部は、被介護者３の大腿部の締め付けを緩和するため、内側に丸めた形態で面ファスナー、点ファスナー等により構成される留め具８により止められる。
【００２１】
左右の前側吊り部４２は、基部がスライドファスナーで構成される着脱具５によりシート部４１に着脱可能に接続されると共に、先端側には、前後方向へ貫通する複数の筒部４２１が設けられている。第１腕部２２を筒部４２１に挿入することによって、前側吊り部４２は、第１腕部２２に吊り下げられる。なお、被介護者３がスリングシート４に座って荷重が作用した場合、前側吊り部４２の筒部４２１と第１腕杆２２とが平行にバランスするように、筒部４２１は、前側が斜め下方（スリングシート４の展開状態では、斜め内側）へ向くように斜めに形成される。また、中央の後部吊り部４３及び左右の後部吊り部４４は、基部がスライドファスナーで構成される着脱具７によ
りシート部４１の後部に着脱可能に接続されると共に、先端側に左右方向へ貫通する複数の筒部４３１及び４４１を有し、この筒部４３１、４４１に左右の第２腕部２３をそれぞれ挿入することによって、各後部吊り部４３、４４は左右の第２腕部２３にそれぞれ吊り下げられる。
【００２２】
前側吊り部４２、各後側吊り部４３、４４には、複数の筒部４２１、４３１、４４１が並設されているため、被介護者３の体躯や姿勢に応じて、前側吊り部４２、各後側吊り部４３、４４の長さ調整を行うことができる。
【００２３】
被介護者３を載せたスリングシート４を介護用シート１により吊り上げる場合には、ハンガー２の第１腕杆２２をスリングシート４の前側吊り部４２に、また、第２腕部２３を各後側吊り部４３、４４にそれぞれ挿入する。これにより、スリングシート４は、前側吊り部４２が第１腕杆２１に、また各後側吊り部４３、４４が第２腕杆２３にそれぞれ掛けられて吊り上げられる。スリングシート４を吊り上げた形態は、前側吊り部４２と後側吊り部４３、４４とが互いに前後方向へ離間しているため、スリングシート４は、被介護者３を包み込むような形態になることはない。よって、被介護者３を前屈み姿勢にならないように、楽な姿勢で吊り上げることができる。
【００２４】
また、スリングシート４における各後側吊り部４３、４４が、左右方向へ向く第２腕杆２３に吊り下げられるため、スリングシート４に載った被介護者３が後方へ仰け反るような体勢をとっても、各後側吊り部４３、４４が後方へ滑る等して、スリングシート４全体が後傾するようなことはない。この結果、被介護者３は、安心してスリングシート３に載ることができる。さらには、スリングシート４の後部中央部分も、中央の後側吊り部４３により支持されるため、スリンシート４の後部をより安定した状態で支持することができる。
【００２５】
上述により、本発明に係わるスリングシート４は、４点（左右の前側吊り部４２及び後側吊り部４４）でハンガー２に吊られるため、被介護者３の搬送は勿論のこと、被介護者３が楽な姿勢で長時間休めるハンモック型のシートとしても使用することができる。
【図面の簡単な説明】
【００２６】
【図１】本発明に係わる介護用吊り装置の斜視図である。
【図２】同じく介護用吊り装置の側面図である。
【図３】同じく介護用吊り装置の平面図である。
【図４】同じくスリングシートの展開図である。
【図５】他の実施形態を示す要部の斜視図である。
【符号の説明】
【００２７】
１  介護用リフト
２  ハンガー
３  被介護者
４  スリングシート
５  着脱具（スライドファスナー）
６  調節ボルト
７  着脱具（スライドファスナー）
８  留め具
２１  吊支部
２２  第１腕杆
２３、２４  第２腕杆
４１  シート部
４２  前側吊り部
４３  中央の後側吊り部
４４  左右の後側吊り部
２１２  連結シャフト
２２１  溝部（滑り止め手段）
２２２  連結部
２２３  拡径部
２２４  調節孔
２３１  拡径部
２４１  滑り止め溝部
４２１  筒部
４３１  筒部
４４１  筒部
【図１】
2010011892.tif 000003
【図２】
2010011892.tif 000004
【図３】
2010011892.tif 000005
【図４】
2010011892.tif 000006
【図５】
2010011892.tif 000007